(57)【要約】【課題】  ダストの侵入によって機能が損なわれることなく、常に良好な機能を保持する油圧ブレーカの防塵装置を提供することを目的とする。【解決手段】  油圧ブレーカの本体を支持保護するハウジングと、ブレーカー内に固着されたガイドブッシュを摺動するチゼルと、ハウジングの打撃方向外端内に装着し内部に侵入する粉塵を防止する防塵装置とを有する油圧ブレーカの防塵装置において、防塵装置は、チゼルに外嵌まりし、打撃方向に直交し打撃方向への動きを規制するストッパー面を有しハウジングに内嵌まりするケーシングと、ケーシング内に収容され、チゼルに外嵌めしてチゼルの振れに追随して横振れ可能な一次シールと、一次シールをケーシングのストッパー面に当接するように付勢するバネと、一次シールが反撃方向に移動するのを一次シールの反撃方向でケーシングに内嵌まりしてその動きを規制するストッパーとよりなる油圧ブレーカ用防塵装置とした。【選択図】  図１
2006130622.tif 000002
【特許請求の範囲】
【請求項１】
油圧ブレーカの本体を支持保護するハウジングと、ブレーカー内に固着されたガイドブッシュを摺動するチゼルと、ハウジングの打撃方向外端内に装着し内部に侵入する粉塵を防止する防塵装置とを有する油圧ブレーカ用防塵装置において、防塵装置は、チゼルに外嵌まりし、打撃方向に直交し打撃方向への動きを規制するストッパー面を有しハウジングに内嵌まりするケーシングと、ケーシング内に収容され、チゼルに外嵌めしてチゼルの振れに追随して横振れ可能な一次シールと、一次シールをケーシングのストッパー面に当接するように付勢するバネと、一次シールが反撃方向に移動するのを一次シールの反撃方向でケーシングに内嵌まりしてその動きを規制するストッパーとよりなる油圧ブレーカ用防塵装置。
【請求項２】
掻き取られたダストが二次シールの弾性変形を妨げない程度の十分な容積空間を形成したケーシングである請求項１記載の油圧ブレーカ用防塵装置。
【請求項３】
一次シールのスライドを阻害する場所に侵入してきたダストを排出する逆止弁を有する排出通路をケーシングに設けた請求項１記載の油圧ブレーカ用防塵装置。
【請求項４】
一次シールのストッパー面との当接面外径部を、ダストが排出し易いように削除し斜面を形成した請求項１記載の油圧ブレーカ用防塵装置。
【発明の詳細な説明】
【技術分野】
【０００１】
本発明は、油圧ブレーカ用防塵装置に関し、特に、ダストの侵入を防止し常に良好な機能を保持する油圧ブレーカ用防塵装置を提供しようとするものである。
【背景技術】
【０００２】
本発明の先行技術としては、特開平１０−５８３５３号「流体作動式衝撃装置の保護装置」がある。この先行技術には、内側シール１２と外側シールの２個のシールがある。内側シール１２は衝撃工具４に弾性的に密接し、外側シールは横スライダ１１が端板７ａ，背板７ｂに保持されて衝撃工具４と共に横スライド可能に構成され、内側シール１２と外側シールは交換可能に取付けられている。
【特許文献１】特開平１０−５８３５３号公報
【発明の開示】
【発明が解決しようとする課題】
【０００３】
外側シールの横スライダ１１は端板７ａ，背板７ｂに挟持させて端板７ａ，背板７ｂの間をスライドする構造となっているため、横スライダ１１と端板７ａ，背板７ｂとの間に僅かに隙間が必要となる。
【０００４】
また、横スライダ１１の左右には移動のため空間が確保されていなければならない（先行技術の図１の環状スペース１０）。しかしながら、ブレーカ作動時に極細かいダストが非常に多く発生する。このように細かいダストが横スライダ１１と端板７ａ，背板７ｂの隙間に侵入し、横スライダ１１の摺動を妨げることになる。
【０００５】
さらに、ダストが環状スペース１０に溜まり、横スライダ１１の移動のためのスペースを埋めてしまうことになる。
【０００６】
上記のような状態において、衝撃工具４に横振れが発生しても、横スライダ１１が容易に追随して動くことができないため、衝撃工具４の横振れ力を横スライダ１１が受けてしまうことになる。衝撃工具４の横振れ力は大きいため、横スライダ１１や端板７ａ，背板７ｂを含めた装置自体を破損させることも生じている。
【課題を解決するための手段】
【０００７】
そこで、本発明は、上記の事情に鑑み、ダストの侵入によって機能が損なわれることがなく、常に良好な機能を保持する油圧ブレーカ用防塵装置を提供すべく、油圧ブレーカの本体を支持保護するハウジングと、ブレーカー内に固着されたガイドブッシュを摺動するチゼルと、ハウジングの打撃方向外端内に装着し内部に侵入する粉塵を防止する防塵装置とを有する油圧ブレーカ用防塵装置において、防塵装置は、チゼルに外嵌まりし、打撃方向に直交し打撃方向への動きを規制するストッパー面を有しハウジングに内嵌まりするケーシングと、ケーシング内に収容され、チゼルに外嵌めしてチゼルの振れに追随して横振れ可能な一次シールと、一次シールをケーシングのストッパー面に当接するように付勢するバネと、一次シールが反撃方向に移動するのを一次シールの反撃方向でケーシングに内嵌まりしてその動きを規制するストッパーとよりなる油圧ブレーカ用防塵装置とした。
【０００８】
また、本発明は、具体的には、掻き取られたダストが二次シールの弾性変形を妨げない程度の十分な容積空間を形成したケーシングである油圧ブレーカ用防塵装置とした。
【０００９】
さらに、本発明は、具体的には、一次シールのスライドを阻害する場所に侵入してきたダストを排出する逆止弁を有する排出通路をケーシングに設けた。
【００１０】
さらにまた、本発明は、具体的には、一次シールのストッパー面との当接面外径部を、ダストが排出し易いように削除し斜面を形成した。
【発明の効果】
【００１１】
本発明は、上述のように、油圧ブレーカの本体を支持保護するハウジングと、ブレーカー内に固着されたガイドブッシュを摺動するチゼルと、ハウジングの打撃方向外端内に装着し内部に侵入する粉塵を防止する防塵装置とを有する油圧ブレーカ用防塵装置において、防塵装置は、チゼルに外嵌まりし、打撃方向に直交し打撃方向への動きを規制するストッパー面を有しハウジングに内嵌まりするケーシングと、ケーシング内に収容され、チゼルに外嵌めしてチゼルの振れに追随して横振れ可能な一次シールと、一次シールをケーシングのストッパー面に当接するように付勢するバネと、一次シールが反撃方向に移動するのを一次シールの反撃方向でケーシングに内嵌まりしてその動きを規制するストッパーとよりなる油圧ブレーカの防塵装置であるので、ダストの侵入によって機能が損なわれることがなく、常に良好な機能を保持する油圧ブレーカ用防塵装置を提供できる。
【００１２】
また、本発明は、バネにより一次シールとケーシングをストッパ面で密着させることにより、スライド部へ細かなダストの侵入を防止し、一次シールのスライド運動が阻害されることがなくなり、信頼性が高く、長寿命の防塵装置を達成できた。
【００１３】
さらに、本発明は、ブレーカの下部が土中に埋まるような過酷な使用においても、防塵機能が損なわれることもなく、装置自体が破損することもない防塵装置を達成できた。
【００１４】
さらにまた、本発明は、具体的には、掻き取られたダストが二次シールの弾性変形を妨げない程度の十分な容積空間を形成したケーシングである。
【００１５】
さらにその上に、本発明は、一次シールのスライドを阻害する場所に侵入してきたダストを排出する逆止弁を有する排出通路をケーシングに設けたので、ダストの侵入によって機能が損なわれることがなく、常に良好な機能を保持する油圧ブレーカ用防塵装置を提供できる。
【００１６】
また、本発明は、一次シールのストッパー面との当接面外径部を、ダストが排出し易いように削除し斜面を形成したので、ダストの侵入によって機能が損なわれることがなく、常に良好な機能を保持する油圧ブレーカ用防塵装置を提供できる。
【発明を実施するための最良の形態】
【００１７】
本発明は、油圧ショベル等にアタッチメントとして装着され、建設・土木の工事現場においてコンクリート基礎や岩石の破砕作業に用いられる油圧ブレーカ用防塵装置に関するものである。
【００１８】
ブレーカにとってダストは有害なものであるが、それを遮断することは非常に困難なことであった。
【００１９】
特に、トンネル工事等においてはブレーカ作業姿勢が上打ちとなるため、破砕物の破片やダストがブレーカの内部に侵入しやすく、侵入したダストや破片により防塵シールが破損することがしばしば発生し、時にはブレーカ本体に重大な損傷を与えることもあった。      
【００２０】
特に、破砕物の破片は鋭いエッジを有しており、防塵シール（多くは弾性体で成形されている）を早期に損傷させる大きな要因であった。
【００２１】
先行技術の特開平１０−５８３５８号公報に記載されている保護装置は、外側シールによりエッジを有する比較的大きな破片の侵入を防止し、内側シールによりダストの侵入を防ぐように構成された油圧ブレーカの防塵装置である。このとき、外側シールは油圧ブレーカのチゼルに内接しており、チゼルの横振れに追随してシールを保持する２枚の案内板により形成された空隙内をスライドして動くようになっている。しかしながら外側シールは単に２枚の案内板の何れかに当接することにより保持されているため、案内板により形成されている空隙より僅かに小さい幅を有するように構成されている。したがって、案内板と外側シールとの間にはごく僅かではあるが隙間が存在し、トンネル工事における上打ち作業姿勢においては、ダストが侵入する側に隙間があくことになり、ダストはこの隙間に容易に侵入して堆積していく。ダストが隙間に堆積していくと外側シールの横方向へのスライドに対する抵抗が大きくなり、やがてはスライドすることが不可能となり、チゼルの横振れを外側シールが受けることとなる。チゼルの横振れ荷重は大きいため、外側シールのスライド運動が阻害されると外側シールや案内板を含めた防塵装置そのものを破損させる。
【００２２】
本発明は、そのような欠点を解消して、信頼性の高い、長寿命の防塵装置を提供するものである。
【００２３】
本発明は、油圧ブレーカの本体を支持保護するハウジングと、ブレーカー内に固着されたガイドブッシュを摺動するチゼルと、ハウジングの打撃方向外端内に装着し内部に侵入する粉塵を防止する防塵装置とを有する油圧ブレーカ用防塵装置において、防塵装置は、チゼルに外嵌まりし、打撃方向に直交し打撃方向への動きを規制するストッパー面を有しハウジングに内嵌まりするケーシングと、ケーシング内に収容され、チゼルに外嵌めしてチゼルの振れに追随して横振れ可能な一次シールと、一次シールをケーシングのストッパー面に当接するように付勢するバネと、一次シールが反撃方向に移動するのを一次シールの反撃方向でケーシングに内嵌まりしてその動きを規制するストッパーとよりなる油圧ブレーカ用防塵装置である。
【００２４】
図１は本発明に係るトンネル用油圧ブレーカの全断面図で、ハウジング１内に装着されたブレーカ本体２内に固着されたガイドブッシュ２７内に、チゼル３を進退自在に摺動させ、防塵装置４はハウジング１の打撃方向外端内に配置する。
【００２５】
本発明の油圧ブレーカ用防塵装置は、図２に示すように、防塵装置４を装着可能と成形されたハウジング１、防塵装置４を構成するケーシング５、一次シール６、一次シール６をケーシング５に押圧するバネ７、一次シール６が反撃方向に移動するのを一次シール６と密着して規制するストッパー２１、二次シール９およびバネ７を装着する台座８および防塵装置４をハウジング１に保持する保持ピン２３とよりなる。
【００２６】
有底円筒状のケーシング５の底面中央にはチゼル３の横振れに対して接触しない程度の大径の挿通孔１１を穿設し、挿通孔１１がある底面は打撃方向に直交し打撃方向への動きを規制するストッパー面１２に形成する。
【００２７】
筒体１４は、前記台座８および二次シール装着溝１５を備えており、概略有底の円筒筒体で、チゼル３に外嵌まりする。台座８の中心部は前記ケーシング７の挿通孔１１と同様にチゼル３が横振れした際、チゼル３に接触しない程度の大径の挿通孔２４を穿設する。      
【００２８】
この台座８の外側内径部に二次シール９の環状溝１５を刻設し、環状溝１５に二次シール９を嵌着する。二次シール９の先端部はチゼル３に弾性的に密接させる。
【００２９】
環状溝１５より外側内径部にバネ７の座面１６を形成し、座面１６にバネ７を着座させる。
【００３０】
バネ７は円錐状コイルで外端を前記一次シール６に当接させ外方に向けて付勢し、一次シール６をケーシング５のストッパー面１２に当接させる。したがって、一次シール６はバネ７により常時外側に向けて付勢されている。
【００３１】
一次シール６はメタル製でチゼル３にしっくり嵌合させ、一次シール６の内側面にバネ７を確実に当接するため凹状の位置決め穴１７を設ける。
【００３２】
さらに、筒体１４の外側に、一次シール６が反撃方向に移動するのを一次シール６と密着して規制するストッパー２１を設ける。
【００３３】
この筒体１４はその台座８に螺着した止めネジ１８によりケーシング５に螺締する。
【００３４】
一方、保持部材１０は有底で挿通孔１９を穿設した底面２０を有し、保持部材１０はハウジング１の外端内部に溶接により固着してハウジングの一部をなし、この保持部材１０の筒体内に防塵装置４を内嵌めし、保持ピン２３で固定する。
【００３５】
次に、図２に基づいて各部材の働きを具体的に説明する。
【００３６】
ケーシング５は筒体１４を保持すると共にバネ７により押圧される一次シール６のストッパーとして働き、強い外力が働かない限り一次シール６と密着している。また、ストッパー面１２はチゼル３と同心に孔が設けられており、チゼル３が許容された範囲で横振れしても接触することはない。また、ケーシング５の外周からダストが侵入することがないように外周にシールが装着できるように成形されている。一次シール６はチゼル３と内接あるいはチゼル３外形より僅かに大きい内円を有しており、比較的大きな破片の侵入を防ぐ働きをする。この時、一次シール６の外周とケーシング５の筒体内径にはチゼル３の横振れに追随して一次シール６がスライドするのに充分なスペース（間隙２２）が確保されるように成形されている。
【００３７】
バネ７は一次シール６を常にケーシング５に押し付けるように作用し、内部にダストが侵入し難くする働きをする。このバネ７は円錐状に成形されており、一次シール６のスライドを妨げないと共に二次シール９の周囲の空間を大きく取るように成形されている。
【００３８】
二次シール９は弾性的にチゼル３と接触し、ごく僅かに侵入したダストをここでブロックする。
【００３９】
また、図示されていない装置によりブレーカの内部のチゼル部に給脂されたグリスが外部へ流出するのを防ぐ。筒体１４は二次シール９の環状溝１５を有すると共にバネ７の受けとして働く。
【００４０】
ストッパー２１は、例えばブレーカを地中に打込み岩等を破砕しようとした時、ケーシング５とチゼル３との隙間から侵入してくる土砂の圧力により一次シール６が反撃方向に移動するのを規制すると共に、この時一次シール６と密着して土砂の内部への侵入を防ぐ。  図３は、このような時に、一次シール６とケーシング５との間に生じた隙間を通じて侵入した一次シール６のスライド運動を阻害するダスト等を排除する逆止弁を有する通路２５と、それらを排除し易い形状に成形した一次シール６を有する例を示したものである。  一次シール６のケーシング５のストッパー面１２との当接面外径部をダストが排出し易いように削除して斜面２６を形成する。
【００４１】
本発明では、一次シール６をバネ７で常時打撃方向に付勢しているので、通常一次シール６はケーシング５のストッパー面１２に当接して横方向に摺動するが、一次シール６をストッパー面１２に押付けるバネ力より強い力で土砂等が反撃方向に侵入しようとする際、一次シール６はストッパー２１に当接するまで反撃方向に移動でき、ストッパー２１と密着して土砂等の内部への侵入を防止する。
【００４２】
この時、一次シールまで侵入した土砂等は、打撃装置を下向きに短時間作動させる事により発生する振動とバネ力により簡単に排除可能である。
【００４３】
また、逆止弁を有する通路を設けたり、一次シールの形状を記載の如く形成する事により一層完全な土砂等の排除が可能となる。
【００４４】
本発明は、一次シールの軸方向の変位を許容出来る構成であり、（先行技術ではスライドするための隙間だけを許容している構成であり、隙間分の傾きしか許容できない。）例えば規定量以上の振れが生じた場合でも一次シールがチゼルに沿って傾くことが可能であり、防塵装置に過度の負担（荷重）が掛かることがなく、防塵装置の破損を防ぐ効果が達成できる。
【産業上の利用可能性】
【００４５】
本発明は、トンネル内での作業の他、ダストの多い作業環境での使用が可能である。
【図面の簡単な説明】
【００４６】
【図１】本発明の油圧ブレーカ用防塵装置の具体的な一実施例であるトンネル用油圧ブレーカの防塵装置の全断面図である。
【図２】図１の要部の拡大断面図である。
【図３】図２の防塵装置にダスト等を排除する逆止弁を有する通路と、ダストを排除し易い形状に形成した一次シールとを備えさせた要部の拡大断面図である。
【符号の説明】
【００４７】
１…ハウジング
２…ブレーカ本体
３…チゼル
４…防塵装置
１２…ストッパー面
５…ケーシング
６…一次シール
７…バネ
２１…ストッパー
２５…逆止弁を有する排出通路
２６…斜面
【図１】
2006130622.tif 000003
【図２】
2006130622.tif 000004
【図３】
2006130622.tif 000005